(57)【特許請求の範囲】
【請求項１】
シートを張設して水の侵入を防止する防水装置であって、
地面又は床面に埋設され、張設状態の前記シートの下側が固定される収納枠と、
前記収納枠の両側にそれぞれ配置される縦枠と、
前記縦枠のそれぞれに配置され、前記シートの端部を面接触で前記縦枠の内側面側に押し付ける側部シート固定部と、
前記縦枠の内側で側部シート固定部を押圧する部分が、上下方向に延びる線状に形成される側部押圧部と、
を備える防水装置。
【請求項２】
前記側部押圧部の前記側部シート固定部に対する押圧方向は、設定される水の侵入方向と同じ方向になるように構成される請求項１に記載の防水装置。
【請求項３】
前記側部押圧部は、
前記側部シート固定部を押圧する押圧位置と前記側部シート固定部から離間する待機位置の間を水平方向で回動可能に構成される請求項１又は２に記載の防水装置。
【請求項４】
前記収納枠に配置され、前記シートの下端部を面接触で前記収納枠の内側面側に押圧する下側シート固定部と、
面接触により下端部シート固定部を押圧する下側押圧部と、
を備える請求項１から３の何れかに記載の防水装置。
【請求項５】
前記シートの端部には、抜け止め部が設けられる請求項１から４の何れかに記載の防水装置。
【請求項６】
シートを張設して水の侵入を防止する防水装置の設置方法であって、
地面又は床面に埋設される収納枠に前記シートの下側を固定する工程と、
前記収納枠の両側に配置される縦枠のそれぞれに配置される側部シート固定部により、前記シートの端部を面接触で前記縦枠の内側面側に押し付ける工程と、
側部シート固定部を押圧する部分が、上下方向に延びる線状に形成される側部押圧部によって前記側部シート固定部を押圧する工程と、
を含む防水装置の設置方法。
【発明の詳細な説明】
【技術分野】
【０００１】
本発明は、シートを張って水の侵入を防止する防水装置に関する。
【背景技術】
【０００２】
従来から、建物の開口部等にシートを横設して水の侵入を防止する防水装置において、シートの両端部を把持する機構を備えるものが知られている。この種の技術を開示するものとして特許文献１〜４がある。特許文献１〜４には、シートの両端部を支持するための構造がそれぞれ開示されている。
【先行技術文献】
【特許文献】
【０００３】
【特許文献１】特許第５７３６４９５号公報
【特許文献２】実登３１８１３５５号公報
【特許文献３】特開２０１４−１３６８８９号公報
【特許文献４】実登３１４７００３号公報
【発明の概要】
【発明が解決しようとする課題】
【０００４】
シートの両端部がしっかり把持されていない場合、隙間から水が回り込んでしまうおそれがある。従来の防水装置では、シートを把持する部分は線接触又は面接触していても、押圧力を加える部分が点接触や間欠的であるため、水圧によって隙間が生じてシートの両端部から水が回り込むおそれがあった。例えば、特許文献１には、シートの３辺を略Ｕ字状の部材で挟み、２箇所で縦受け部と縦抑え部を締め付けてシートを挟みこんでいるが、その間の部分の押圧力が小さくなってしまう。シートのサイズが大きくなれば締め付ける力も弱くなってしまう。シートの両端部を適切に把持するという観点で改善の余地があった。
【０００５】
本発明は、シートの両端部に押圧力を適切に付与し、水がシートの両端部から回り込む事態を効果的に防止できる防水装置及び防水装置の設置方法を提供することを目的とする。
【課題を解決するための手段】
【０００６】
本発明は、シート（例えば、後述のシート２０）を張設して水の侵入を防止する防水装置（例えば、後述の防水装置１０）であって、地面又は床面（例えば、後述の地面ＦＬ）に埋設され、張設状態の前記シートの下側が固定される収納枠（例えば、後述の収納枠１１，４１１）と、前記収納枠の両側に配置される縦枠（例えば、後述の縦枠１２）と、前記縦枠のそれぞれに配置され、前記シートの端部を面接触で前記縦枠の内側面側に押し付ける側部シート固定部（例えば、後述の側部把持金物５５）と、前記縦枠の内側で側部シート固定部を押圧する部分（例えば、後述の接触部４５）が、上下方向に延びる線状に形成される側部押圧部（例えば、後述の側部金物押圧部４２）と、を備える防水装置に関する。
【０００７】
前記側部押圧部の前記側部シート固定部に対する押圧方向は、設定される水の侵入方向と同じ方向になるように構成されることが好ましい。
【０００８】
前記側部押圧部は、前記側部シート固定部を押圧する押圧位置と前記側部シート固定部から離間する待機位置の間を水平方向で回動可能に構成されることが好ましい。
【０００９】
前記防水装置は、前記収納枠に配置され、前記シートの下端部を面接触で前記収納枠の内側面側に押圧する下側シート固定部（例えば、後述の下側把持金物６５）と、面接触により下端部シート固定部を押圧する下側押圧部（例えば、後述の下側金物押圧部６６，２６６）と、を備えることが好ましい。
【００１０】
前記シートの端部には、抜け止め部（例えば、後述の抜け止め部２１，２２）が設けられることが好ましい。
【００１１】
本発明は、シート（例えば、後述のシート２０）を張設して水の侵入を防止する防水装置（例えば、後述の防水装置１０）の設置方法であって、地面又は床面（例えば、後述の地面ＦＬ）に埋設される収納枠（例えば、後述の収納枠１１，４１１）に前記シートの下側を固定する工程と、前記収納枠の両側にそれぞれ配置される縦枠（例えば、後述の縦枠１２）のそれぞれに配置される側部シート固定部（例えば、後述の側部把持金物５５）により、前記シートの端部を面接触で前記縦枠の内側面側に押し付ける工程と、側部シート固定部を押圧する部分（例えば、後述の接触部４５）が、上下方向に延びる線状に形成される側部押圧部によって前記側部シート固定部を押圧する工程と、を含む防水装置の設置方法に関する。
【発明の効果】
【００１２】
本発明によれば、シートの両端部に押圧力を適切に付与し、水がシートの両端部から回り込む事態を効果的に防止できる防水装置及び防水装置の設置方法を提供できる。
【図面の簡単な説明】
【００１３】
【図１】本発明の第１実施形態に係る防水装置の使用状態を示す図である。
【図２】第１実施形態の防水装置のシート収納時を示す側面図である。
【図３】第１実施形態の防水装置のシート収納時の収納枠を示す縦断面図である。
【図４】第１実施形態の防水装置のシート収納時を示す平面図である。
【図５】第１実施形態の下側把持部によってシートが把持される様子を段階的に示す図である。
【図６】本実施形態の縦枠の内側を示す横断面図である。
【図７】本実施形態の縦枠の内側を示す縦断面図である。
【図８】側部把持部によってシートが把持される様子を段階的に示す図である。
【図９】シートの上端部がワイヤを介して縦枠に係合されている様子を示す図である。
【図１０】シートの隅部の様子を示す図９の一部拡大図である。
【図１１】中柱にシートのワイヤが係止される状態を示す拡大正面図である。
【図１２】中柱にシートのワイヤが係止される状態を示す拡大は平面図である。
【図１３】第２実施形態の下側把持部によってシートが把持される様子を段階的に示す図である。
【図１４】第３実施形態で用いられるワイヤフックの斜視図である。
【図１５】中柱にワイヤフックを介してシートを取り付けた様子を示す拡大側面図である。
【図１６】中柱にワイヤフックを介してシートを取り付けた様子を示す拡大正面図である。
【図１７】中柱にワイヤフックを介してシートを取り付けた様子を示す拡大平面図である。
【図１８】第４実施形態の防水装置のシート収納時の収納枠を示す縦断面図である。
【発明を実施するための形態】
【００１４】
以下、本発明の好ましい実施形態について、図面を参照しながら説明する。
【００１５】
＜第１実施形態＞
図１は、本発明の第１実施形態に係る防水装置１０の使用状態を示す図である。この図１では、内部側から水平方向で見た防水装置の使用状態が示されている。図２は、第１実施形態の防水装置１０のシート２０収納時を示す側面図である。
【００１６】
図１及び図２に示すように、防水装置１０は、シート２０を張設して水の侵入を防止するものであり、地下駐車上の出入口等、建物１の外部２から内部３への通路となる開口部に設置される。外部２から内部３に侵入しようとする水の侵入方向（図２における白抜きの矢印）に対して収納枠１１の長手方向が直交するように配置される。なお、以下の説明において、使用状態におけるシート２０の長手方向を左右方向として説明することがある。また、水平方向における建物１の外部２側を建物外部側とし、建物１の内部３側を建物内部側として説明することがある。
【００１７】
シート２０は、可撓性のある材料で構成される横長に形成される。シート２０の高さは、想定される増水の水位ＷＬよりも高く設定される。本実施形態のシート２０の上端部には、曲げ可能な線状部材としてのワイヤ２５が通されている。ワイヤ２５は、水の水圧に対するシート２０の撓み防止になる。
【００１８】
シート２０を支持及び収納する構造について説明する。本実施形態の防水装置１０は、地面ＦＬに埋設される収納枠１１と、収納枠１１の左右両側にそれぞれ配置される縦枠１２と、収納枠１１と左右の縦枠１２に囲まれる空間に横設されるシート２０と、左右方向の中央でシート２０を支持する中柱１４と、中柱１４の下端部を支持する支持枠１５と、を備える。
【００１９】
収納枠１１について説明する。図３は、第１実施形態の防水装置１０のシート２０収納時の収納枠１１を示す縦断面図である。図４は、第１実施形態の防水装置１０のシート２０収納時を示す平面図である。
【００２０】
図３に示すように、収納枠１１は、水平方向で見た断面形状が略Ｃ字状に形成されている。収納枠１１には、その底部１１０と、建物内部側の内側面１１１と、建物外部側の内側面１１２と、により囲まれた空間が内側に形成される。
【００２１】
収納枠１１は、その底部１１０が建物１の外部２側に進むにつれて下がる方向に傾斜している。収納枠１１の底部１１０における建物外部側には排水管７が接続されている。収納枠１１の底部１１０に達した水は、その傾斜によって排水管７を通じて外部に排出されることになる。
【００２２】
収納枠１１の内側には、シート２０の下側の端部を把持する下側把持部６０が設けられる。下側把持部６０は、収納枠１１の底部１１０に設けられる下側把持金物６５と、建物内部側の内側面１１１に設けられる下側突条部６１及び止水ゴム６２と、建物外部側の内側面１１２に設けられる下側金物押圧部６６と、を備える。
【００２３】
下側把持金物６５は、収納枠１１の底部１１０にヒンジ６７を介して取り付けられる。本実施形態の下側把持金物６５のヒンジ６７の位置は、底部１１０における建物内部側になっている。ヒンジ６７の回転軸は、左右方向（水平方向）を向いている。
【００２４】
下側把持金物６５は、シート２０の下端部に建物外部側から接触する把持位置と、シート２０から離間する待機位置と、の間を回動可能に構成される。
【００２５】
下側把持金物６５は、左右方向に細長の板状に形成されており、把持位置においてシート２０の下側端部に面接触可能に構成される。本実施形態では、複数の下側把持金物６５が連続的に配置されている。なお、下側把持金物６５を一つにしてもよい。
【００２６】
また、本実施形態の下側把持金物６５には、後述する下側金物押圧部６６を押圧位置までガイドするガイド部６９が建物外部側に配置される。ガイド部６９は、下側把持金物６５が把持位置にある状態で、当該下側金物押圧部６６の上端よりはみ出した部分を有し、このはみ出した部分が上方に進むに従って建物内部側に傾斜するように構成される。
【００２７】
本実施形態のシート２０は、下側の端部に抜け止め部２１を備える。抜け止め部２１は、シート２０を折り返して形成した空間に通されるロープによって構成される。把持位置の下側把持金物６５が、シート２０における抜け止め部２１よりも上方位置でシート２０の下側の端部に面接触することにより、シート２０が下側把持部６０から抜けようとしても、抜け止め部２１が干渉してシート２０抜けが防止される。
【００２８】
下側突条部６１は、建物内部側の内側面１１１から建物外部側に突出している。下側突条部６１は、左右方向に細長に形成されている。
【００２９】
止水ゴム６２は、建物内部側の内側面１１１における下側突条部６１の上方に配置される。止水ゴム６２は、下側突条部６１と同様に左右方向に細長に形成されており、その先端面が下側突条部６１の先端面よりも突出している。
【００３０】
本実施形態では、建物内部側の内側面１１１における止水ゴム６２の上方にＬ字プレート６３が設けられる。Ｌ字プレート６３は、下側突条部６１とともに上下方向で止水ゴム６２を挟み込む位置関係となっている。Ｌ字プレート６３は、保護シート９０の一側の端部を収納枠１１とともに挟持している。
【００３１】
保護シート９０は、シート２０の左右方向の長さに応じて形成されており、折り畳んだシート２０を覆うことができるようになっている。本実施形態では、シート２０と同じ材料によって形成されている。
【００３２】
下側金物押圧部６６は、建物外部側の内側面１１２にヒンジ６８を介して取り付けられる。本実施形態の下側金物押圧部６６のヒンジ６８の位置は、内側面１１１における下部になっている。ヒンジ６８の回転軸は、左右方向（水平方向）を向いている。
【００３３】
下側金物押圧部６６は、把持位置にある下側把持金物６５を建物外部側から建物内部側に押圧する押圧位置と、下側把持金物６５から離間する待機位置と、の間を回動可能に構成される。
【００３４】
下側金物押圧部６６は、側面視においては、その先端が屈曲して鉤状に形成される。下側金物押圧部６６は、把持位置において先端側の屈曲部分で下側把持金物６５を建物外部側から建物内部側に押圧する。
【００３５】
図４に示すように、下側金物押圧部６６は、左右方向で間隔をあけて複数配置されており、把持位置の下側把持金物６５は複数のポイントで押圧される。
【００３６】
次に、下側把持部６０にシート２０の下側の端部を把持させる手順について説明する。図５は、第１実施形態の下側把持部６０によってシート２０が把持される様子を段階的に示す図である。
【００３７】
図５（ａ）は、下側把持部６０によってシート２０の下側の端部が把持される前の状態を示す。図５（ａ）に示すように、まず、シート２０の下側の端部を下側把持部６０によって把持される位置に移動させる。次に、下側把持金物６５を待機位置から把持位置に移動させる。下側把持金物６５は、建物内部側に位置する下側突条部６１及び止水ゴム６２とともにシート２０を水平方向で挟み込んだ状態となる。
【００３８】
図５（ｂ）は、下側金物押圧部６６が待機位置から押圧位置に移動する状態を示す。５（ｂ）に示すように、下側把持金物６５が把持位置にある状態で下側金物押圧部６６を押圧位置まで回動させる。把持位置の下側把持金物６５が、下側金物押圧部６６によって押圧されることにより、シート２０の把持状態が維持される。
【００３９】
本実施形態では、下側金物押圧部６６を待機位置で係止する係止部（図示省略）が設けられている。係止部の係合を解除して下側把持金物６５を把持位置に移動させる。
【００４０】
図５（ｃ）は、下側金物押圧部６６によって下側把持金物６５が把持位置で保持される状態を示す。図５（ｃ）に示すように、下側金物押圧部６６が押圧位置に移動し、下側把持金物６５を建物外部側から押圧することによって下側把持金物６５が把持位置で固定される。
【００４１】
把持位置の下側金物押圧部６６は、収納枠１１の内側に横設された状態となり、下側金物押圧部６６と収納枠１１の底部１１０との間に空隙を形成する横架部材として機能する。
【００４２】
次に、左右両側に配置される縦枠１２について説明する。図６は、本実施形態の縦枠１２の内側を示す横断面図である。図７は、本実施形態の縦枠１２の内側を示す縦断面図である。なお、図６及び図７に示す縦枠１２は、左右方向一側の縦枠１２であり、他側の縦枠１２も略同様の構成である。
【００４３】
本実施形態の縦枠１２は、建物１の内側に埋め込まれる埋め込み型である。縦枠１２は、建物１の内側で溶接アンカー（図示省略）等によって支持される。図２に示すように、シリンダ錠９１を有する扉９２を有しており、使用しないときは扉９２が閉じられるようになっている。
【００４４】
図６に示すように、縦枠１２は、上下方向で見た断面形状が略Ｃ字状に形成されている。縦枠１２には、その左右方向の中央側を向く内側面１２０と、建物内部側の内側面１２１と、建物外部側の内側面１２２と、により囲まれた空間が内側に形成される。
【００４５】
縦枠１２の内側には、シート２０の側部の端部を把持する側部把持部４０が設けられる。側部把持部４０は、左右方向の中央側を向く内側面１２０に設けられる側部把持金物５５と、建物内部側の内側面１２１に設けられる縦枠突条部５１及び止水ゴム５２と、建物外部側の内側面１２２に設けられる側部金物押圧部４２と、を備える。
【００４６】
側部把持金物５５は、縦枠１２の左右方向の中央側を向く内側面１２０にヒンジ５６を介して取り付けられる。本実施形態の側部把持金物５５のヒンジ５６の位置は、内側面１２０における建物内部側になっている。ヒンジ５６の回転軸は、上下方向を向いている。
【００４７】
側部把持金物５５は、シート２０の側部に建物外部側から接触する把持位置と、シート２０から離間する待機位置と、の間を回動可能に構成される。
【００４８】
側部把持金物５５は、上下方向に細長の板状に形成されており、把持位置においてシート２０の側部に面接触可能に構成される。
【００４９】
本実施形態のシート２０は、側部にも抜け止め部２２が形成される。側部の抜け止め部２２の構成は、下側の端部に形成される抜け止め部２１と同様に、折り返し部分にロープを通して構成される。左右方向の抜け止め部２２と下側端部の抜け止め部２１は、連続しており、連続するロープによって形成される。シート２０の左右方向の一側の端部から下側の端部を通って他側の端部まで連続するロープが抜け止めとして機能する。
【００５０】
また、把持位置において建物外部側を向く側部把持金物５５の裏面にはガイドストッパ５７が設けられる。ガイドストッパ５７は、後述の側部金物押圧部４２を案内し易くするとともに把持位置で止めるための規制部材である。
【００５１】
本実施形態のガイドストッパ５７は、その一側の端部がＬ字状に屈曲して側部金物押圧部４２の受け面として機能する。ガイドストッパ５７の他側の端部が側部把持金物５５から左右方向の内側にはみ出すとともに建物内部側に若干傾斜している。
【００５２】
縦枠突条部５１は、建物内部側の内側面１２１から縦外部側に突出している。縦枠突条部５１は、上下方向に細長に形成されている。
【００５３】
止水ゴム５２は、建物内部側の内側面１２１における縦枠突条部５１の左右方向の中央側に隣接配置される。止水ゴム５２は、縦枠突条部５１と同様に上下方向に細長に形成されており、その先端面が縦枠突条部５１の先端面よりも突出している。収納枠１１の止水ゴム６２と縦枠１２の止水ゴム５２は連続しており、同様の材料で構成される。
【００５４】
側部金物押圧部４２は、建物外部側の内側面１２２にヒンジ４３を介して取り付けられる。ヒンジ４３の回転軸は、上下方向を向いている。
【００５５】
側部金物押圧部４２は、把持位置にある側部把持金物５５を建物外部側から押圧する押圧位置と、側部把持金物５５から離間する待機位置と、の間を回動可能に構成される。
【００５６】
側部金物押圧部４２は、上下方向に延びる板状部材である。図７に示すように、側部金物押圧部４２は、その上下方向の全長が側部把持金物５５より短い長さの範囲に設定されている。
【００５７】
図６に示すように、側部金物押圧部４２は、平面視においては、その先端が屈曲して鉤状になっており、その屈曲部分の一部が側部把持金物５５に接触する接触部４５となっている。側部金物押圧部４２は、押圧位置で側部把持金物５５に対面する部分が接触部４５から左右方向の外側に向かうにつれて側部把持金物５５から離れるように傾斜している。側部金物押圧部４２は、平面視において、その先端の一部のみが側部把持金物５５に接触することになる。側部金物押圧部４２は、上下方向に延びているので、接触部４５の接触範囲は上下方向に途切れることなく連続する線状になっている。
【００５８】
次に、側部把持部４０にシート２０の側部を把持させる手順について説明する。図８は、側部把持部４０によってシート２０が把持される様子を段階的に示す図である。
【００５９】
図８（ａ）は、下側把持部６０によってシート２０の下側の端部が把持された状態であって、側部把持部４０によってシート２０の左右方向の端部が把持される前の状態を示す。図８（ａ）に示すように、まず、シート２０の左右方向の端部を側部把持部４０によって把持される位置に移動させる。次に、側部把持金物５５を待機位置から把持位置に移動させる。これにより、シート２０が建物外部側の側部把持金物５５と、建物内部側の縦枠突条部５１及び止水ゴム５２と、の間に挟み込まれた状態となる。
【００６０】
図８（ｂ）は、側部金物押圧部４２が待機位置から押圧位置に移動する状態を示す。７（ｂ）に示すように、側部把持金物５５が把持位置にある状態で側部金物押圧部４２を押圧位置まで回動させる。
【００６１】
本実施形態では、側部把持金物５５におけるシート２０と接触しない反対側の面には、ガイドストッパ５７が設けられる。ガイドストッパ５７は、受け面となる一側の端部で側部金物押圧部４２を把持位置で受け止める。また、ガイドストッパ５７の他側の端部は、側部把持金物５５からはみ出しており、把持位置に向かう側部金物押圧部４２のガイドとしても機能する。
【００６２】
図８（ｃ）は、側部金物押圧部４２によって側部把持金物５５が把持位置で保持される状態を示す。図８（ｃ）に示すように、側部金物押圧部４２が押圧位置に移動し、側部把持金物５５を建物外部側から押圧することによって側部把持金物５５が把持位置に固定される。
【００６３】
次に、シート２０の上端部を通されるワイヤ２５を利用した縦枠１２の係合について説明する。図９は、シート２０の上端部がワイヤ２５を介して縦枠１２に係合されている様子を示す図である。この図９には、下側把持部６０によりシート２０の下側の端部を把持し（図５（ａ）〜（ｃ）参照）、側部把持部４０によりシート２０の左右両側の端部をそれぞれ把持した（図８（ａ）〜（ｃ）参照）状態が示される。
【００６４】
図９に示すように、側部把持金物５５は、上下方向に細長く延びている。この側部把持金物５５を把持位置で保持する側部金物押圧部４２も、上述の通り、上下方向に細長く形成されているので、側部把持金物５５に接触する部分が線状になっている。即ち、側部金物押圧部４２は、側部把持金物５５に線接触で押圧力を付与している。側部金物押圧部４２が線接触で側部把持金物５５を建物内部側に押し付けることにより、側部金物押圧部４２によって付与される押圧力が上下方向で均等になり、隙間なくシート２０を止水ゴム５２の先端面に密着させることが可能となっている。
【００６５】
また、下側把持部６０の下側把持金物６５は、左右方向に細長く延びている。上述の通り、下側把持金物６５は左右方向に細長く延びており、シート２０の下側端部に面接触している状態となっている。この面接触する下側把持金物６５を把持位置で保持する下側金物押圧部６６は、上述の通り、間欠的に配置されており、複数のポイントで下側把持金物６５の把持状態が保持されることになるため、シート２０の収納時に外部から侵入する雨水等を収納枠１１と下側金物押圧部６６との間の空隙に排水しやすい。
【００６６】
ワイヤ２５の一側の端部はフック金具２６を介して一側の縦枠１２に係合されるとともに、他側の端部も係合金具（図示省略）を介して他側の縦枠１２に係合される。縦枠１２の内側には、フック金具２６又は係合金具を係合するための係合部２７が配置されており、係合部を介してワイヤ２５が左右方向に張られる状態となる。これによってシート２０の上端部が適切な位置で保持される。
【００６７】
本実施形態のフック金具２６は、その全長を変更できるように構成されており、ワイヤ２５の張り具合を調節可能になっている。
【００６８】
図１０は、シート２０の隅部の様子を示す図９の一部（鎖線で囲む領域１００）拡大図である。図１０に示すように、上下方向に延びる止水ゴム５２と左右方向に延びる止水ゴム６２は、縦枠１２の内側で接続されている。左右両側の止水ゴム５２とその間に配置され、左右方向に延びる止水ゴム６２によって止水ラインが形成されている状態となっている。三方を囲うように止水ラインが形成されることにより、使用時におけるシート２０の内側への水の侵入を効果的に防止することができる。また、シート２０の左右両側の抜け止め部２１及び下側の抜け止め部２２も、シート２０の隅部で連続しており、三方を囲うように形成される。これによっても、シート２０が把持位置から簡単に抜けないようになっている。本実施形態では、左右両側の抜け止め部２１及び下側の抜け止め部２２が可撓性のあるロープによって構成されているので、シート２０を折り畳む場合にも邪魔になることはない。
【００６９】
次に、中柱１４及び支持枠１５について説明する。図１に示すように、中柱１４は左右方向の中央でシート２０を保持する部材である。図４に示すように、中柱１４を支持する支持枠１５は、収納枠１１の外側であって収納枠１１に間隔をあけて内部３側に配置される。
【００７０】
図１１は、中柱１４にシート２０のワイヤ２５が係止される状態を示す拡大正面図である。図１２は、中柱１４にシート２０のワイヤ２５が係止される状態を示す拡大は平面図である。
【００７１】
図１１及び図１２に示すように、中柱１４は、その頂部に上方に突出する係合突起１６を備える。係合突起１６は、中柱１４の上面から突出する軸状部１７と、軸状部１７の先端に形成される大径部１８と、を備える。
【００７２】
シート２０上端部の左右方向の中央には、中柱１４の位置に合わせてワイヤ２５を外側に露出させる切欠き２３が形成される。この切欠き２３で露出するワイヤ２５を係合突起１６の軸状部１７に引っ掛けることで、シート２０上端部が左右方向の中央でも支持される状態となる。
【００７３】
本実施形態では、シート２０は、使用状態及び収納状態のいずれにおいても、その下側の端部が下側把持部６０に把持されている状態を維持する。なお、図５（ａ）〜（ｃ）に示すシート２０の下側の端部を固定する作業は、収納枠１１に最初にシート２０取り付けるときやシート２０のメンテナンスを行うときやシート２０の交換を行うとき等に行われる。本実施形態の構造であれば、工具を用いることなく容易にシート２０の交換作業を行うことができる。例えば、通行を妨げることなくシート２０を乾かしたい場合等は、下側把持部６０の把持を解除するだけで収納枠１１からシート２０を簡単に取り外すことができる。
【００７４】
シート２０の収納方法について説明する。図３に示すように、シート２０の収納は、下側把持部６０によってシート２０の下側端部を把持した状態を維持したままの状態で、シート２０の上側を折り畳んで横架部材として機能する下側金物押圧部６６の上に置く。
【００７５】
シート２０の上に横に倒した状態の中柱１４を置き、その上から保護シート９０で中柱１４及びシート２０が覆われる状態にする。次に、収納枠１１の上部に、チェッカープレート５を蓋部材としてセットする。チェッカープレート５は、収納枠１１に取り付けられた状態では、地面ＦＬと略面一の状態となる。また、中柱１４を引き抜いた支持枠１５についても支持枠１５用のチェッカープレート６を置く。
【００７６】
防水装置１０の使用時は、収納時と逆の手順で行う。図１に示すように、使用時のシート２０は、その下端側が下側把持部６０によって把持されるとともに、その左右両側が縦枠１２の側部把持部４０によって把持された状態となる。下側金物押圧部６６及び側部金物押圧部４２の押圧方向は、想定される水の侵入方向と同じ方向である。そして、シート２０は、その長手方向が平面視における水の侵入方向に対して直交する方向を向いた状態で支持される。本実施形態では、ワイヤ２５及び中柱１４によってシート２０の把持状態がより安定的なものとなっている。
【００７７】
以上説明した実施形態の防水装置１０によれば、以下のような効果を奏する。
防水装置１０は、地面ＦＬに埋設され、張設状態のシート２０の下側が固定される収納枠１１と、収納枠１１の両側にそれぞれ配置される縦枠１２と、縦枠１２のそれぞれに配置され、シート２０の端部を面接触で縦枠の内側面１２１側に押し付ける側部把持金物５５と、側部把持金物５５を押圧する接触部４５が、上下方向に延びる線状に形成される側部金物押圧部４２と、を備える。
【００７８】
これにより、上下方向に細長く延びる接触部４５の線接触によって側部把持金物５５が上下方向で均等な力で押圧されることにより隙間なくシート２０を止水ゴム５２の先端面に密着させることができ、サイドに回ろうとする水の動きを防いで高い防水性能を実現することができる。
【００７９】
また、本実施形態の側部金物押圧部４２の側部把持金物５５に対する押圧方向は、設定される水の侵入方向と同じ方向になるように構成される。
【００８０】
これにより、水圧に負けることなく、側部金物押圧部４２の把持状態を良好に維持することができる。
【００８１】
側部金物押圧部４２は、側部把持金物５５を押圧する押圧位置と前記側部シート固定部から離間する待機位置の間を水平方向で回動可能に構成される。
【００８２】
これにより、簡単な操作で側部把持金物５５の把持状態を維持することができる。
【００８３】
防水装置１０は、収納枠１１に配置され、シート２０の下端部を面接触で収納枠１１の内側面１１１側に押圧する下側把持金物６５と、面接触により下側把持金物６５を押圧する下側金物押圧部６６と、を備える。
【００８４】
これにより、シート２０の側部だけでなく下端部についても把持されるので、左右両側及び下端の三方でより安定的にシート２０の張設状態を維持できる。また、シート２０の取り外し作業も容易に行うことができ、メンテナンス性も向上させることができる。
【００８５】
シート２０の端部には、抜け止め部２１及び抜け止め部２２が設けられる。
【００８６】
これにより、意図せずシート２０の把持状態が解除される事態を防止し、より安定的に防水装置１０の防水性能を発揮させることができる。本実施形態では、抜け止め部２１及び抜け止め部２２は、左右両側及び下端の三方にわたって形成されており、左右方向だけの力や上下方向だけの力を受けても容易に抜けないようになっている。
【００８７】
また、本実施形態の防水装置１０の設置は、以下の工程を含む。即ち、防水装置１０の設置方法は、収納枠１１にシート２０の下側を固定する工程と、収納枠１１の両側にそれぞれ配置される縦枠１２のそれぞれに配置される側部把持金物５５により、シート２０の端部を面接触で縦枠１２の内側面１２１側に押し付ける工程と、側部把持金物５５を押圧する接触部４５が、上下方向に延びる線状に形成される側部金物押圧部４２によって側部把持金物５５を押圧する工程と、を含む。
【００８８】
この工程を経ることにより、シート２０の両端部に押圧力を適切に付与し、水がシート２０の両端部から回り込む事態を効果的に防止できるシート２０の状態を簡単な作業で実現することができる。
【００８９】
＜第２実施形態＞
次に、下側金物押圧部２６６の構成が第１実施形態と異なる第２実施形態について説明する。図１３は、第２実施形態の下側把持部２６０によってシートが把持される様子を段階的に示す図である。なお、以下の説明において、既に説明したものと同様の構成については同じ符号を付してその説明を省略することがある。
【００９０】
下側金物押圧部２６６は、回転軸が上下方向を向くヒンジ２６７を介して収納枠１１の建物外部側の内側面１１２に取り付けられている。下側金物押圧部２６６は、下側把持金物６５を建物外部側から押圧する押圧位置と、下側把持金物６５から離間する待機位置（図１３における２点鎖線に示す位置）と、の間を水平方向で回動可能になっている。
【００９１】
第２実施形態の下側把持部２６０及び側部把持部４０によるシート２０の把持について説明する。図１３（ａ）に示すように、下側把持金物６５を把持位置にしてシート２０を挟んだ状態で、側部把持金物５５を待機位置から把持位置に回動させ、下側金物押圧部２６６についても待機位置から押圧位置に回動させる。
【００９２】
次に、図１３（ｂ）に示すように、押圧位置の下側金物押圧部２６６によって下側把持金物６５が把持位置で固定されている状態で、側部金物押圧部４２を押圧位置に回動させる。
【００９３】
図１３（ｃ）に示すように、以上の手順を経ることにより、下側把持部２６０及び側部把持部４０によってシート２０が固定される。第２実施形態の下側金物押圧部２６６においても、収納枠１１の内側で左右方向に間隔をあけて複数配置されており、下側把持金物６５は複数個所で建物内部側に押圧される。
【００９４】
＜第３実施形態＞
中柱１４へのシート２０の固定方法が上記実施形態と異なる第３実施形態について説明する。図１４は、第３実施形態で用いられるワイヤフック３０１の斜視図である。図１４に示すように、ワイヤフック３０１は、断面形状が略Ｌ字状に形成される板状部材である。ワイヤフック３０１の一側の端部には、筒状のワイヤ挿通部３１０が形成される。また、ワイヤフックの上面には、中柱１４の係合突起１６に係合するための係合孔３１１が形成される。
【００９５】
図１５は、中柱１４にワイヤフック３０１を介してシート２０を取り付けた様子を示す拡大側面図である。図１６は、中柱１４にワイヤフック３０１を介してシート２０を取り付けた様子を示す正面図である。図１７は、中柱１４にワイヤフック３０１を介してシート２０を取り付けた様子を示す平面図である。
【００９６】
図１５から図１７に示すように、ワイヤフック３０１は、係合孔３１１に係合突起１６を挿通した状態で中柱１４の上部に固定される。図１６に示すように、ワイヤフック３０１は、その位置が、ワイヤ２５におけるシート２０上端部の切欠き２３から露出する部分になっている。ワイヤフック３０１を用いることにより、ワイヤ２５を屈曲させなくても中柱１４に係合することができ、係合作業を容易化できる。以上説明したように、中柱１４への係合作業は、事情に応じて適宜変更できる。例えば、中柱１４の側面にフックを取り付け、該フックを利用してワイヤ２５を引っ掛ける構成としてもよい。
【００９７】
＜第４実施形態＞
収納枠４１１の底部の形状が異なる第４実施形態について説明する。図１８は、第４実施形態の防水装置４１０のシート収納時の収納枠４１１を示す縦断面図である。図１８に示すように、収納枠４１１の底部４１２の形状は、建物内部側から建物外部側に向かうにつれて下がるように傾斜する傾斜部４１３と、傾斜部４１３から建物外部側に水平方向に延びる平坦部４１４を有するように形成される。この構成においても、収納枠４１１の底部４１２に傾斜部４１３が形成されるので、収納枠１１の内側に侵入した水を効率的に排水管７に導くことができる。
【００９８】
また、第４実施形態では、下側把持金物４６５は、第１実施形態の下側把持金物６５の構成と異なり、ガイド部６９が省略されている。また、下側金物押圧部４６６は、その先端の形状が第１実施形態と異なっており、先端側が屈曲する略Ｌ字状に形成されている。
【００９９】
以上、本発明の好ましい実施形態について説明したが、本発明は、上述の実施形態に制限されるものではなく、適宜変更が可能である。
【０１００】
上記実施形態では、縦枠１２が建物１に埋め込まれる埋め込み型のものを例として説明したが、縦枠１２の設置方法は、事情に応じて適宜変更できる。例えば、建物１に固定される支持プレートを介して固定される露出型の縦枠を用いることもできる。
【０１０１】
上記実施形態では、収納枠１１の内側に保護シート９０が設けられる構成であるが、この構成に限定されるわけではない。保護シート９０を省略することもできる。例えば、図３に示すような収納状態において、シート２０の上端部の中柱１４を覆うように折り返して保護シートと同様に機能させる構成とすることもできる。
【０１０２】
上記実施形態では、下側把持金物や側部把持金物５５等が金属で構成される例を示したが、樹脂等、他の材料で構成することもできる。
【０１０３】
上記実施形態では、シート２０の上端部にワイヤ２５が通されているが、ワイヤ２５を省略することもできる。また、ワイヤ２５の代わりにパイプを用いることができる。また、ハトメ付の紐を用いて位置固定ピンで縦枠１２の内側に固定することもできる。このように、シート２０の構成及び取付方法も事情に応じて適宜変更することができる。
【０１０４】
上記実施形態では、底部１１０が傾斜していたり、底部４１２に傾斜部４１３が形成されたりする例を示したが、この構成に限定されない。例えば、収納枠の底部から勾配をなくして平らに形成することもできる。
【符号の説明】
【０１０５】
１０  防水装置
１１，４１１  収納枠
１２  縦枠
２０  シート
２１，２２  抜け止め部
４２  側部金物押圧部（側部押圧部）
４５  接触部
５５  側部把持金物（側部シート固定部）
６５  下側把持金物（下側シート固定部）
６６，２６６  下側金物押圧部（下側押圧部）
ＦＬ  地面
【図１】
0006556655.tif 000002
【図２】
0006556655.tif 000003
【図３】
0006556655.tif 000004
【図４】
0006556655.tif 000005
【図５】
0006556655.tif 000006
【図６】
0006556655.tif 000007
【図７】
0006556655.tif 000008
【図８】
0006556655.tif 000009
【図９】
0006556655.tif 000010
【図１０】
0006556655.tif 000011
【図１１】
0006556655.tif 000012
【図１２】
0006556655.tif 000013
【図１３】
0006556655.tif 000014
【図１４】
0006556655.tif 000015
【図１５】
0006556655.tif 000016
【図１６】
0006556655.tif 000017
【図１７】
0006556655.tif 000018
【図１８】
0006556655.tif 000019